(57)【要約】【課題】塵埃の廃棄、フィルターの目詰まり除去が容易な電気掃除機を提供する。【解決手段】電動送風機（図示せず）への電力供給量を加減する制御手段３１と、電気掃除機の運転を操作する操作手段（図示せず）と、電動送風機で吸引された塵埃を捕集すると共に、吸引した塵埃と接する部分の少なくとも一部が導電性材料で形成されたダストボックス６と、導電性材料で形成された部分と商用電源２７とを電気的に接続した電気経路３４と、操作手段の情報に応じて電気経路３４を導通、遮断する電磁リレー３０を備えたもので、例えば、操作手段を操作して電気掃除機を運転している間、電磁リレー３０を動作させて電気経路３４を導通させると、塵埃がダストボックス６の内壁に擦れて発生した静電気が、導電性材料で形成された部分と電気経路３４を経て除電され、塵埃の付着が抑えられ、塵埃の廃棄が容易で、フィルター（図示せず）の目詰まりを防止できる。【選択図】図５
2010012126.tif 000002
【特許請求の範囲】
【請求項１】
吸引風を発生する電動送風機と、前記電動送風機を駆動する駆動手段と、前記駆動手段を制御して前記電動送風機への電力供給量を加減する制御手段と、使用者が電気掃除機の運転を操作する操作手段と、前記電動送風機で吸引された塵埃を捕集すると共に、吸引した塵埃と接する部分の少なくとも一部が導電性材料で形成された集塵部と、前記導電性材料で形成された部分と商用電源とを電気的に接続した電気経路と、前記電気経路を導通、遮断する保護手段とを備え、前記制御手段は、前記操作手段の情報に応じて、前記保護手段を動作させる事を特徴とする電気掃除機。
【請求項２】
制御手段は、電動送風機への電力供給量の情報から、保護手段を動作させるようにした事を特徴とする請求項１に記載の電気掃除機。
【請求項３】
集塵部を掃除機本体に着脱自在とし、前記集塵部の着脱を検知する着脱検知手段を備え、制御手段は、前記着脱検知手段からの情報に応じて、保護手段を動作させる事を特徴とする請求項１または２に記載の電気掃除機。
【請求項４】
保護手段は、電動送風機に通電されていない時、電気経路を遮断するようにしたことを特徴とする請求項１〜３のいずれか１項に記載の電気掃除機。
【請求項５】
保護手段の動作状態を報知する報知手段を設けた事を特徴とする請求項１〜４のいずれか１項に記載の電気掃除機。
【発明の詳細な説明】
【技術分野】
【０００１】
本発明は、電気掃除機に関するもので、特に、吸気を旋回して塵埃を分離するサイクロン方式の電気掃除機に関するものである。
【背景技術】
【０００２】
一般に、サイクロン方式の電気掃除機は、掃除機本体に集塵部と、電動送風機を有し、集塵部は、ゴミを遠心分離する塵埃分離部と、遠心分離した塵埃を圧縮して溜める集塵室とに分かれて配置され、塵埃を溜めて、捨てたいときに捨てることができ、従来の塵埃を溜めるための紙パックの交換が不要であるという簡便さから広く普及している（例えば、特許文献１参照）。
【特許文献１】特開２００３−５２５９０号公報
【発明の開示】
【発明が解決しようとする課題】
【０００３】
しかしながら、上記従来のサイクロン方式の電気掃除機は、旋回流によって吸引風に混ざった塵埃を遠心分離するため、塵埃同士が擦れ合ったり、塵埃が集塵部の壁とかに擦れ合い静電気を帯びる。また、集塵部の集塵室内で塵埃を圧縮する機構により、塵埃は、集塵室に押し付けられているため、使用者が集塵室内の塵埃を捨てようとする際、塵埃が集塵室から容易に落下せず、集塵室から塵埃を取り出すのに手間が増えていた。また、遠心分離により帯電した塵埃が、集塵部の内壁やフィルター等へ付着したりして、フィルターの除塵効率を下げたり、使用者が、集塵室内の塵埃を取り除く作業を容易に行えなかった。時には、帯電した集塵部に使用者が触れることで、瞬時に帯電した全量の静電気が放電され電気ショックを受け、使用者が不満をつのらせるという課題も有していた。
【０００４】
本発明は、このような従来の課題を解決するもので、集塵部の塵埃を捨てる際の手間を大きく軽減でき、フィルター目詰まり除去も簡単に行え、使用する人に電気ショックを与えることなく、集塵部の除塵に伴う作業を容易に行うことができる安全で使用性の良い電気掃除機を提供することを目的とする。
【課題を解決するための手段】
【０００５】
前記従来の課題を解決するために本発明の電気掃除機は、吸引風を発生する電動送風機と、前記電動送風機を駆動する駆動手段と、前記駆動手段を制御して前記電動送風機への電力供給量を加減する制御手段と、使用者が電気掃除機の運転を操作する操作手段と、前記電動送風機で吸引された塵埃を捕集すると共に、吸引した塵埃と接する部分の少なくとも一部が導電性材料で形成された集塵部と、前記導電性材料で形成された部分と商用電源とを電気的に接続した電気経路と、前記電気経路を導通、遮断する保護手段とを備え、前記制御手段は、前記操作手段の情報に応じて、前記保護手段を動作させるもので、例えば、使用者が操作手段を操作して電気掃除機を運転している間、制御手段で保護装置を制御して、電気経路を導通させると、旋回流によって塵埃間で発生していた静電気や、塵埃が集塵部の内壁に擦れ合うことで発生していた静電気が、導電性材料で形成された部分から、電気経路を経て、商用電源に流れて、除電されるので、塵埃、特に細塵の付着を抑えることができ、また、集塵部に配されたフィルターの集塵効率も著しく低下させずに済む。
【０００６】
また、使用者が操作手段で電気掃除機の運転を停止した場合は、制御手段が保護装置を制御して、電気経路を遮断するようにすれば、使用者が集塵部の塵埃を捨てる際、集塵部に触れたり、集塵部と掃除機本体との接続部に触れても、感電する恐れがなく安全に使用することができる。
【０００７】
また、集塵室のゴミを捨てる際、既に除電が行われているので、集塵部からのゴミ離れ性が良く、塵埃を簡単に捨てることができるので、使用者の手間を大きく軽減できる使用性の良い電気掃除機を提供することができる。
【発明の効果】
【０００８】
本発明の電気掃除機は、旋回流により生じる塵埃や集塵部の静電気を除電することにより、フィルターの除塵効率を低下させず、使用者が行う集塵部の塵埃を取り除く作業を容易にする。そして、使用者が集塵部や、集塵部と掃除機本体との接続部に触れても、電気ショックを受けることが無く（感電しない）、安全で使用性の良い電気掃除機を提供することができる。
【発明を実施するための最良の形態】
【０００９】
第１の発明は、吸引風を発生する電動送風機と、前記電動送風機を駆動する駆動手段と、前記駆動手段を制御して前記電動送風機への電力供給量を加減する制御手段と、使用者が電気掃除機の運転を操作する操作手段と、前記電動送風機で吸引された塵埃を捕集すると共に、吸引した塵埃と接する部分の少なくとも一部が導電性材料で形成された集塵部と、前記導電性材料で形成された部分と商用電源とを電気的に接続した電気経路と、前記電気経路を導通、遮断する保護手段とを備え、前記制御手段は、前記操作手段の情報に応じて、前記保護手段を動作させるもので、例えば、使用者が操作手段を操作して電気掃除機を運転している間、制御手段で保護装置を制御して、電気経路を導通させると、旋回流によって塵埃間で発生していた静電気や、塵埃が集塵部の内壁に擦れ合うことで発生していた静電気が、導電性材料で形成された部分から、電気経路を経て、商用電源に流れて、除電されるので、塵埃、特に細塵の付着を抑えることができ、また、集塵部に配されたフィルターの集塵効率も著しく低下させずに済む。
【００１０】
また、使用者が操作手段で電気掃除機の運転を停止した場合は、制御手段が保護装置を制御して、電気経路を遮断するようにすれば、使用者が集塵部の塵埃を捨てる際、集塵部に触れたり、集塵部と掃除機本体との接続部に触れても、感電する恐れがなく安全に使用することができる。
【００１１】
また、集塵室のゴミを捨てる際、既に除電が行われているので、集塵部からのゴミ離れ性が良く、塵埃を簡単に捨てることができるので、使用者の手間を大きく軽減できる使用性の良い電気掃除機を提供することができる。
【００１２】
第２の発明は、特に、第１の発明の制御手段は、電動送風機への電力供給量の情報から、保護手段を動作させるようにしたもので、電動送風機の動作、停止に合わせて、集塵部の導電性材料で形成された部分と商用電源との電気的な接続、遮断を連動させることが出来る。よって、電動送風機が動作している電気掃除機の運転中は、電気的に接続され除電が行われる。電動送風機が停止している時には、使用者が集塵部や、掃除機本体と集塵部の接続部に触れる可能性が高いが、保護手段を動作させ電気経路を遮断しているので、感電の恐れをなくすことができる。
【００１３】
第３の発明は、特に、第１または第２の発明の集塵部を掃除機本体に着脱自在とし、前記集塵部の着脱を検知する着脱検知手段を備え、制御手段は、前記着脱検知手段からの情報に応じて、保護手段を動作させるもので、使用者が集塵部を掃除機本体から取り外した時、制御手段は、着脱検知手段から、集塵部が取り外された情報を得て、保護手段を動作させ電気経路の遮断を行うようにすれば、使用者が触る可能性がある掃除機本体と集塵部との接続部に触れても、感電を確実に防ぐことができる。
【００１４】
第４の発明は、特に、第１〜３の発明のいずれか１つの発明の保護手段は、電動送風機に通電されていない時、電気経路を遮断するようにしたもので、万が一、保護手段のみが壊れた場合でも、商用電源と遮断（絶縁）されるので、商用電源への感電の恐れがない、安全な電気掃除機を提供することができる。
【００１５】
第５の発明は、特に、第１〜４の発明のいずれか１つの発明の保護手段の動作状態を報知する報知手段を設けたもので、使用者は、集塵部の除電が行われているかどうかの状況を知ることができるので、より安全性が高く安心して使用できる電気掃除機を提供することができる。
【００１６】
以下、本発明の実施の形態について、図面を参照しながら説明する。なお、この実施の形態によって本発明が限定されるものではない。
【００１７】
（実施の形態１）
以下、本発明の第１の実施の形態における電気掃除機について、図１〜図６を参照しながら説明する。
【００１８】
図１は、本実施の形態における電気掃除機の外観斜視図、図２は、同電気掃除機の掃除機本体の側断面図、図３は、同電気掃除機の集塵部（ダストボックス）から塵埃を排出する時の側断面図、図４は、同電気掃除機の電気的接続を示す本体側面断面図である。
【００１９】
図１〜４において、１は、掃除機本体であり、掃除機本体１の前部には、ホース２を接続する吸気口４を、後方には、塵埃を吸引するための電動送風機５が配置されている。吸気口４と電動送風機５との間には、塵埃を収容する集塵部６（以下、「ダストボックス６」と呼ぶ）が、掃除機本体１に対して着脱自在に配設されている。電動送風機５の発生する吸引風は、ホース２と、延長管４０と、床面から塵埃を吸引する吸込み具４１で形成される吸引通路を経て、床面上の塵埃を吸引できるようになっている。
【００２０】
ホース２の先端部には、使用者によって電気掃除機の運転操作を行うための操作手段３を配設している。
【００２１】
電動送風機５によって、吸込み具４１より吸引された塵埃は、ダストボックス６内に収容される。収容された塵埃は、掃除機本体１から、ダストボックス６を取り外し、ダストボックス６の底部に設けた開閉蓋７を、図３の様に開くことで排出できる。
【００２２】
また、掃除機本体１後方には、電源コード８と、その先には電源プラグ９を配置し、家の壁等に設置されているコンセント３５に接続することで、商用電源を電動送風機５に供給する構成にしてある。
【００２３】
次に、サイクロン集塵部であるダストボックス６の構成について簡単に説明する。
【００２４】
ダストボックス６は、ダストボックス６の上方に配置され、塵埃を含む空気流Ａをダストボックス６内の接線方向に流入させ旋回流Ｂを発生させる吸気口４と、旋回流Ｂの塵埃を含む空気流から塵埃を遠心分離する略円筒形の分離室１０と、分離された塵埃を集塵する集塵室１１とを備え、分離室１０の円筒側面（円周面）は、０．２ミクロン程度の穴が多数開いた金属製の細塵ろ過フィルター１２（以下、「メッシュフィルター１２」と呼ぶ）で形成されている。
【００２５】
更に、メッシュフィルター１２の外周を集塵体１３で覆っており、集塵体１３は、メッシュフィルター１２を通過した細塵をさらにろ過するフィルター（以下、プリーツフィルター１３と呼ぶ）である。
【００２６】
そして、メッシュフィルター１２とプリーツフィルター１３との間の空間が、細塵分離室１４である。プリーツフィルター１３の下部には、細塵を集塵する細塵室１５が形成してあり、細塵室１５と分離室１０下部の集塵室１１は、一体に接合してある。
【００２７】
開閉蓋７は、細塵室１５と集塵室１１を開閉する蓋であり、フック１６で係止されるようになっている。なお、開閉蓋７に当接する細塵室１５及び集塵室１１の下端には、タイト用パッキン１７が取り付けてある。吸気口４は、プリーツフィルター１３と分離室１０を貫通する形で配備してあり、吸気口４の周囲においても、プリーツフィルター１３と分離室１０の間に空気路（隙間）が設けられている。
【００２８】
１８は、ダストボックス６の吸気口４と、掃除機本体１の吸気口４とのタイトを行う円形パッキンである。１９は、開閉する開閉蓋７のヒンジである。２０は、プリーツフィルター１３を覆う枠体で、天板２１と、細塵室１４に接合されており、ダストボックス６の剛性を確保している。
【００２９】
続いて、ダストボックス６の各部の材料について、図４を用いて説明する。ダストボックス６内で、吸引した塵埃と接する部分は、導電性材料で構成する。例えば、
ａ．塵埃を含む空気流Ａが接する吸引口４の内壁は、導電性樹脂で構成する（右上がり斜め斜線部）。
【００３０】
ｂ．旋回流Ｂで、塵埃を含む空気流から塵埃を遠心分離する略円筒形の分離室１０と、分離された塵埃を集塵する集塵室１１の内壁と、天板２１を導電性樹脂で構成する（右上がり斜め斜線部）。
【００３１】
ｃ．分離室１０のメッシュフィルター１２を、金属、例えばステンレスで構成する。（左上がり斜め斜線部）。
【００３２】
ｄ．細塵室１５の内壁、開閉蓋７及びフック１６を導電性樹脂で構成する（右上がり斜め斜線部）。
【００３３】
ｅ．タイト用パッキン１７を、導電性ゴムで構成する（黒塗り部分）。
【００３４】
上記ａ〜ｅの各接触部は、当接して接触することで、電気的導通を維持している。
【００３５】
このように構成されたダストボックス６は、掃除機本体１に装着することで、ダストボックス６の一部（本実施の形態では、導電性樹脂製のフック１６）と、掃除機本体１に設けられ導電性ゴムで構成した接触部材２３（黒塗り部）とが当接する。この接触部材２３は、ダストボックス６を掃除機本体１から外した際、使用者が触れ得る外郭部に露出する電気的接続部なので、金属ではなく、導電性のゴムを使用している。
【００３６】
次に、電気的接続を、図４〜６を用いて説明する。図５は、同電気掃除機の除電構成の電気回路図、図６は、同電気掃除機の制御ブロック図である。
【００３７】
接触部材２３は、放電抵抗基板２４とリード線２５でつながっている。この放電抵抗基板２４には、高電圧用で抵抗値１．８ＭΩの放電抵抗器２６が２個直列に配備されており（計３．６ＭΩ）、一端は、ダストボックス６側に、他端側は、保護手段３０を介して、商用電源２７に接続されている。つまり、ダストボックス６のフック１６は、接触部材２３と、リード線２５と、放電抵抗器２６とからなる電気経路３４を介して、商用電源２７である１００Ｖ電源供給ラインと電気的に接続されると共に、その電気経路３４の途中に保護手段３０が設けられている。
【００３８】
この保護手段３０は、この電気経路３４を導通、遮断するもので、本実施の形態では、電磁リレー（図示せず）で実現している。この保護手段３０（以下、「電磁リレー３０」と呼ぶ）は、制御基板２８に実装されており、制御基板２８に実装されたマイクロコンピュータ等の制御手段３１によって電気的に制御されている。
【００３９】
また、３２は、ダストボックス６が、掃除機本体１に装着されているか否かを検知する着脱検知手段で、スイッチ等で構成している。この着脱検知手段３２の検知情報は、制御手段３１に入力される。この他、４２は、双方向性サイリスタなどで構成された駆動手段で、電動送風機５に電力供給を行っており、制御手段３１によって、使用者が操作する操作手段３の情報等を元に、制御されている。３３は、ＬＥＤ等で構成した報知手段である。保護手段３０が行う電気経路３４の導通、遮断に連動して、制御手段３１が、ＬＥＤなどから構成された報知手段３３の点灯、消灯制御を行う。
【００４０】
以上のように構成された本実施の形態における電気掃除機について、以下その動作、作用を説明する。
【００４１】
使用者が操作手段３を操作したことを制御手段３１が検知すると、制御手段３１は、着脱検知手段３２が、ダストボックス６の掃除機本体１への装着確認を行い装着できていれば、駆動手段４２に予め定められた信号を送り、電動送風機５を、所定の電力供給量で駆動する。もし、ダストボックス６の掃除機本体１への装着が確認できなければ、電動送風機５の駆動を停止する。
【００４２】
電動送風機５の運転を開始すると、電動送風機５の吸引風が吸込み具４１へ作用して床面上の塵埃を吸引する。塵埃を含んだ吸引風は、延長管４０やホース２の内壁面と接触しながらダストボックス６内へ吸気口４より分離室１０の接線方向に入り、分離室１０に配され微小な穴を多数有するステンレスのメッシュフィルター１２の内周面を旋回する（ステンレスのメッシュフィルター１２は綿ごみ等の粗塵を捕獲するものであり、分離室１０内の空気の一部は、分離室１０外に排出され、一部は分離室１０内で旋回流Ｂとなる）。分離室１０内では、塵埃を含む吸引空気の旋回流によって空気と塵埃が遠心分離され、塵埃は、集塵室１１に溜まる。
【００４３】
本実施の形態では、ステンレスのメッシュフィルター１２は、分離室１０の上部ほど、穴の密集度を粗にしているので、開口面積比率が小さい。このため上部では、旋回する気流が多く、下方に行くに従って穴の密集度を密にしているので、開口面積比率が大きく旋回流も少なくなり分離室１０外に排出される気流が多くなる。
【００４４】
そのため下方の集塵室１１に落ちた塵埃は、ほとんど舞い上がらずに集塵室１１に溜まる。また旋回流で分離された綿ごみは、旋回する間に固まり、ステンレスのメッシュフィルター１２の表面をクリーニングしながら回転する。
【００４５】
分離室１０内部で旋回流Ｂが生じているため細塵分離室１４に排出される気流も旋回流Ｂに沿って流れ出し、分離室１０の円周方向（円の接線方向）に排出されることから、細塵分離室１４内に入った空気もプリーツフィルター１３に沿って旋回するが、ステンレスのメッシュフィルター１２の穴から流路面積が広い空間（細塵分離室１４）に排出されるため、流速が落ちて細塵が落下しやすくなり、旋回流による気流と細塵の分離作用が促進される。分離された細塵は、細塵室１５に落ちて留まる。細塵が捕集された後の清浄空気は、枠体２０の開口２２より排出され、電動送風機５に吸引された後、掃除機本体１外に排出される。
【００４６】
上述してきたように、塵埃を含む空気が吸引通路内を壁面と摺れながら流れると、静電気が発生する。この静電気は、吸込み具４１からダストボックス６までの吸引通路内壁全てで発生するが、特に静電気を帯電した塵埃が集まるダストボックス６により多く集まるため、ダストボックス６の内壁に静電気力によって吸引した塵埃が多かれ少なかれ付着する。特に金属で構成されているステンレスのメッシュフィルター１２は、静電容量が大きいため静電気が集まり易い。
【００４７】
次に、制御手段３１によるダストボックス６の除電構成、動作について説明する。
【００４８】
ダストボックス６は、掃除機本体１に装着されると、掃除機本体１の接触部材２３と圧接することで、リード線２５、放電抵抗２６、そして電磁リレー３０の片側まで、電気的に接続される。この時点ではまだ、商用電源２７である１００Ｖ電源供給ラインと電気的につながっていない。ダストボックス６が、掃除機本体１に装着されると、着脱検知手段３２であるスイッチが、ダストボックス６で下方向に押されて、ＯＮになる。制御手段３１は、この情報を得て、ダストボックス６が装着されたと判断する。
【００４９】
使用者が操作手段３を操作して、電気掃除機を動かそうとした場合、制御手段３１は、操作手段３から操作情報を得て、着脱検知手段３２からのダストボックス６の有無情報を判断する。ダストボックス６が有りなら、駆動手段４２をオンさせて、電動送風機５に所定の電力供給を行うと共に、電磁リレー３０にもオン信号を送る。オン信号を受けた電磁リレー３０は、内部スイッチを閉路する。これにより、電磁リレー３０は、商用電源２７と接続され、ダストボックス６のフック１６は、商用電源２７である１００Ｖ電源供給ラインと電気的につながる。そして、制御手段３１は、報知手段３３を点灯し、除電をしている事を使用者に知らせる。
【００５０】
この時、ダストボックス６のフック１６は、１００Ｖ電源供給ラインと電気的につながっているが、その経路には放電抵抗器２６が２個分の３．６ＭΩの抵抗を有しているので、ダストボックス６に流れる漏洩電流は、０．０３ｍＡ以下に抑えられ、電源供給ラインと絶縁されていることになる。
【００５１】
この構成は、絶縁を維持しながらも、小容量の電荷は、ダストボックス６と商用電源２７（１００Ｖ電源供給ライン）間を行き来することができるので、ダストボックス６の導電性材料で構成した部品に蓄積された又は発生した静電気を、１００Ｖ電源供給ラインに逃がすことができる。すなわち絶縁はされているが、電気的にアースされているのである。
【００５２】
この様にして、ダストボックス６の塵埃と接する部分の電荷を、０Ｖ近くまで除電することができるので、旋回流で帯電する塵埃と、分離室１０のステンレスのメッシュフィルター１２との電気的結合力を弱め、ステンレスのメッシュフィルター１２の塵埃付着による除塵効率低下を抑制する事ができる。また、細塵分離室１４に入ってきた細塵と、細塵分離室１４の内面との電気的結合力を弱めることで、細塵の付着を抑制し、下方向にある細塵室１５に、細塵が落下し易くし、細塵を集め易くする事ができる。
【００５３】
次に、掃除が終了し、使用者が、電気掃除機を停止させようと操作手段３を操作すると、制御手段３１は、操作手段３から運転停止の情報を得るので、先ず、駆動手段４２をオフして電動送風機５への電力供給量をゼロにし運転を停止させる。次いで、制御手段３１は、電磁リレー３０もオフさせるが、すぐにはオフ信号を送らない。これは、電動送風機５の電力供給量がゼロになっても、電動送風機５が完全停止するまで惰性で回転しているので、少しの間、吸引が続くためである。吸引中は、塵埃によって静電気が起こるので、本実施の形態では、駆動手段４２をオフしてから所定時間後、具体的には、電動送風機５による吸引が完全に停止する時間を待って、例えば、駆動手段４２をオフにしてから５秒後に、電磁リレー３０にオフ信号を送るように制御している。
【００５４】
オフ信号を受けた電磁リレー３０は、内部スイッチを開路する。これにより、電気経路３４の商用電源２７との電気的接続が遮断され、ダストボックス６は、商用電源２７である１００Ｖ電源供給ラインと電気的に遮断（絶縁）される。次いで、制御手段３１は、報知手段３３を消灯し、除電が終了した事を使用者に知らせる。よって、使用者は、ダストボックス６に触っても感電する事が無く、安全に取り扱うことが出来る。
【００５５】
次に、使用者が、電動送風機５の運転中に誤って掃除機本体１より、ダストボックス６を取り外してしまった場合には、制御手段３１は、着脱検知手段３２から、ダストボックス６が取り外されたとの情報を得るので、先ず、不安全な状態での運転であるため、駆動手段４２をオフして電動送風機５の運転を停止する。
【００５６】
次いで、制御手段３１は、電磁リレー３０にもオフ信号をすぐに送る。オフ信号を受けた電磁リレー３０は、内部スイッチを開路する。これにより、電磁リレー３０は、商用電源２７との接続が切断され、ダストボックス６は、商用電源２７である１００Ｖ電源供給ラインと電気的に遮断（絶縁）される。次いで、制御手段３１は、報知手段３３を消灯し、除電がされていない事を使用者に知らせる。よって、安全に電気掃除機を停止させることができ、使用者が触れるかもしれない掃除機本体１のダストボックス６との電気的接続部も全く感電の恐れのない状態に瞬時にすることができる。
【００５７】
また、電磁リレー３０は、電源が供給されない時、内部スイッチが開路状態であるので、万が一、制御基板２８が壊れ、電磁リレー３０に電源が供給されない状態になっても、ダストボックス６が、１００Ｖ電源供給ラインと電気的につながることは無く、感電の恐れがない安全な状態を維持できる。
【００５８】
また、万が一、電磁リレー３０が、接点溶着等で内部スイッチが閉路のまま壊れた場合でも、放電抵抗器２６が合計で３．６ＭΩの高抵抗を有しているので、漏洩電流を０．０３ｍＡ以下に抑えられる。これは、法規の１ｍＡに対して、十分なマージンを取ったものであり、感電に対して、電磁リレー３０と放電抵抗器２６の二重安全設計とした、より安全に配慮した電気掃除機である。
【００５９】
また、本実施の形態における電気掃除機は、使用者が図４のようにダストボックス６内の塵埃を捨てようと、開閉蓋７を開けた時、集塵室１１、細塵室１５、開閉蓋７と、各部に接する塵埃（粗塵、細塵）との電気的結合力を弱める除電を、電気掃除機の運転中に行っているので、ダストボックス６からの塵埃のゴミ離れ性が良くなり、使用者が行うダストボックス６の掃除（メンテナンス）の手間を、大きく軽減できる。
【００６０】
以上のように、安全でかつ、使用性の良い電気掃除機を提供することができる。
【産業上の利用可能性】
【００６１】
以上のように本発明にかかる電気掃除機は、集塵部の塵埃を捨てる際の手間を大きく軽減でき、フィルター目詰まり除去も簡単に行え、使用する人に電気ショックを与えることなく、集塵部の除塵に伴う作業を容易に行うことができる安全で使用性の良いもので、吸気を旋回して塵埃を分離するサイクロン集塵部を有する装置にとって有用な技術である。
【図面の簡単な説明】
【００６２】
【図１】本発明の第１の実施の形態における電気掃除機の外観斜視図
【図２】同電気掃除機の掃除機本体の側断面図
【図３】同電気掃除機の集塵部（ダストボックス）から塵埃を排出する時の側断面図
【図４】同電気掃除機の電気的接続を示す本体側面断面図
【図５】同電気掃除機の除電構成の電気回路図
【図６】同電気掃除機の制御ブロック図
【符号の説明】
【００６３】
３    操作手段
５    電動送風機
６    ダストボックス（集塵部）
２７  商用電源
３０  電磁リレー（保護手段）
３１  制御手段
３２  着脱検知手段
３３  報知手段
３４  電気経路
４２  駆動手段
【図１】
2010012126.tif 000003
【図２】
2010012126.tif 000004
【図３】
2010012126.tif 000005
【図４】
2010012126.tif 000006
【図５】
2010012126.tif 000007
【図６】
2010012126.tif 000008